(57)【要約】【課題】植物栽培用培地を軽量化し、植物栽培用培地から不純物や不要物を無くす、或いは、減少させるとともに、前記植物の栽培開始から前記植物の栽培が終了するまでの間に前記植物が必要とする水分を含有し、かつ維持する。【解決手段】栽培容器１の栽培室７には、天然パルプを水によってゲル状にした培地１０が配置され、この培地１０の上に植物の芽物野菜としてのパンジーの苗１１の種子を蒔くことによってパンジーの苗１１を栽培するようになっている。培地１０は、表面が平らな水平面になるように配置される。培地１０は、前記パンジーの苗１１の栽培開始から前記パンジーの苗１１の栽培が終了するまでの間、例えば１週間、前記パンジーの苗１１が必要とする水分を含有し、かつ維持する。【選択図】  図１
2004350655.tif 000002
【特許請求の範囲】
【請求項１】
少なくとも繊維を水分によってゲル状に形成し、植え込まれた植物を栽培育成するとともに、前記ゲル状の繊維は、前記植物の栽培開始から前記植物の栽培が終了するまでの間、又は、さらに前記栽培終了後消費されるまでの間に前記植物が必要とする水分を含有し、かつ維持し、或いは、前記植物の栽培開始から前記植物の栽培が終了するまでの間の給水量を減少する植物栽培用培地と、
上側面が開口し、内部に前記植物栽培用培地を配置する栽培容器と、
を具備したことを特徴とする植物栽培装置。
【請求項２】
前記繊維はパルプであり、前記植物栽培用培地は、パルプを水または養液などによってゲル状に形成したことを特徴とする請求項１に記載の植物栽培装置。
【請求項３】
少なくとも繊維を固めることで複数の固形物として形成し、植え込まれた植物を栽培育成するとともに、前記複数の固形物は、前記植物の栽培開始から前記植物の栽培が終了するまでの間、又は、さらに前記栽培終了後消費されるまでの間に前記植物が必要とする水分を含有し、かつ維持し、或いは、前記植物の栽培開始から前記植物の栽培が終了するまでの間の給水量を減少する植物栽培用培地と、
上側面が開口し、内部に前記植物栽培用培地を配置する栽培容器と、
を具備したことを特徴とする植物栽培装置。
【請求項４】
前記繊維はパルプであり、前記植物栽培用培地は、パルプを固めることで複数の固形物として形成し、この複数の固形物に水を含ませたものであることを特徴とする請求項３に記載の植物栽培装置。
【請求項５】
前記繊維は、加熱あるいは化学処理によって繊維自体を結合することで前記固形物として固めていることを特徴とする請求項３または４に記載の植物栽培装置。
【請求項６】
前記繊維は、樹脂あるいは糊で前記固形物として固めていることを特徴とする請求項３または４に記載の植物栽培装置。
【請求項７】
前記パルプは、天然パルプ、合成パルプ、再生紙のいずれか一つ、または、これらの混合物であることを特徴する請求項２、４乃至６のいずれか一つに記載の植物栽培装置。
【請求項８】
前記繊維は、天然パルプ、合成パルプ、再生紙のいずれか一つ、または、これらの混合物であり、前記水分は養液であることを特徴とする請求項１、３、５、６のいずれか一つに記載の植物栽培装置。
【発明の詳細な説明】
【０００１】
【発明の属する技術分野】
本発明は、農作物あるいは草花の苗、植林用の苗、苺、葉物野菜、花卉類、芋類等の植物を栽培する植物栽培装置に関する。
【０００２】
【従来の技術】
従来、農作物や草花を効率的に栽培する技術として、培養土を充填可能な収容容器を用いる方法がある（例えば、特許文献１参照）。
【０００３】
このような収容容器に充填する培養土は、一般的に天然の土に肥料を混ぜ合わせたものを用いている。収容容器内の培養土は、収容容器に形成する孔を調節することで、適切な排水性や通気性を得ている。
【０００４】
【特許文献１】
特開２００２−３０５９８３号公報（第３−４頁、図１−図３）
【０００５】
【発明が解決しようとする課題】
前述した従来の栽培容器に培養土を充填する植物栽培方法では、収容容器に形成する孔を調節することで適切な排水性や通気性が得られる等の種々の有効な機能を有するが、培養土を収容した栽培容器が重く、移動させる場合の作業性が低かった。また、培養土は不純物や不要物を多く含んでおり、植物の育成に問題が生じたり、一つの苗を栽培するためのに必要となる量が多く、結果として一つの栽培容器で栽培できる苗の数が少なくなっていた。さらに、培養土は水分の流出や蒸発が多く、植物の栽培中に随時給水しなければならず、水の供給が多く管理が複雑で栽培コストを増大させていた。
【０００６】
本発明は、前記事情に鑑みてなされたものであり、植物栽培用培地を軽量化し、植物栽培用培地から不純物や不要物を無くす、或いは、減少させ、植物の一本あたりの栽培に必要な植物栽培用培地の量を減らすとともに、前記植物の栽培開始から前記植物の栽培が終了するまでの間、又は、さらに前記栽培終了後消費されるまでの間に前記植物が必要とする水分を含有し、かつ維持し、或いは、前記植物の栽培開始から前記植物の栽培が終了するまでの間の給水量を減少することができ、これにより、幼少期（初期生育期）に水及び養液の供給を簡素化して管理できるため、作業を軽減できとともに、均質な製品の植物を栽培できる植物栽培装置を提供することを目的としている。
【０００７】
【課題を解決するための手段】
前記目的を達成するため請求項１に記載の植物栽培装置は、少なくとも繊維を水分によってゲル状に形成し、植え込まれた植物を栽培育成するとともに、前記ゲル状の繊維は、前記植物の栽培開始から前記植物の栽培が終了するまでの間、又は、さらに前記栽培終了後消費されるまでの間に前記植物が必要とする水分を含有し、かつ維持し、或いは、前記植物の栽培開始から前記植物の栽培が終了するまでの間の給水量を減少する植物栽培用培地と、上側面が開口し、内部に前記植物栽培用培地を配置する栽培容器と、を具備したことを特徴とする。
【０００８】
請求項２に記載の植物栽培装置は、請求項１に記載の植物栽培装置であって、前記繊維はパルプであり、前記繊維はパルプであり、前記植物栽培用培地は、パルプを水または養液などによってゲル状に形成したことを特徴とする。
【０００９】
請求項３に記載の植物栽培装置は、少なくとも繊維を固めることで複数の固形物として形成し、植え込まれた植物を栽培育成するとともに、前記複数の固形物は、前記植物の栽培開始から前記植物の栽培が終了するまでの間、又は、さらに前記栽培終了後消費されるまでの間に前記植物が必要とする水分を含有し、かつ維持し、或いは、前記植物の栽培開始から前記植物の栽培が終了するまでの間の給水量を減少する植物栽培用培地と、上側面が開口し、内部に前記植物栽培用培地を配置する栽培容器と、を具備したことを特徴とする。
【００１０】
請求項４に記載の植物栽培装置は、請求項３に記載の植物栽培装置であって、前記繊維はパルプであり、前記植物栽培用培地は、パルプを固めることで複数の固形物として形成し、この複数の固形物に水を含ませたものであることを特徴とする。
【００１１】
請求項５に記載の植物栽培装置は、請求項３または４に記載の植物栽培装置であって、前記繊維は、加熱あるいは化学処理によって繊維自体を結合することで前記固形物として固めていることを特徴とする。
【００１２】
請求項６に記載の植物栽培装置は、請求項３または４に記載の植物栽培装置であって、前記繊維は、樹脂あるいは糊で前記固形物として固めていることを特徴とする請求項３または４に記載の植物栽培装置。
【００１３】
請求項７に記載の植物栽培装置は、請求項２、４乃至６のいずれか一つに記載の植物栽培装置であって、前記パルプは、天然パルプ、合成パルプ、再生紙のいずれか一つ、または、これらの混合物であることを特徴する。
【００１４】
請求項８に記載の植物栽培装置は、請求項１、３、５、６のいずれか一つに記載の植物栽培装置であって、前記繊維は、天然パルプ、合成パルプ、再生紙のいずれか一つ、または、これらの混合物であり、前記水分は養液であることを特徴とする。
【００１５】
すなわち、請求項１，２，５乃至８に記載の植物栽培装置では、植物栽培用培地に少なくとも繊維を水分によってゲル状に形成したものを用いたことで、植物栽培用培地を軽量化し、植物栽培用培地から不純物や不要物を無くす、或いは、減少させ、植物の一本あたりの栽培に必要な植物栽培用培地の量を減らすとともに、少なくとも前記植物の種蒔きから前記植物の栽培が終了するまでの間、前記植物栽培用培地が前記植物が必要とする水分を含有し、かつ維持し、或いは、前記植物の種蒔きから前記植物の栽培が終了するまでの間の給水量を減少することができる。
【００１６】
すなわち、請求項３乃至８に記載の植物栽培装置では、植物栽培用培地に繊維を固めることで複数の固形物として形成したものを用いたことで、植物栽培用培地を軽量化し、植物栽培用培地から不純物や不要物を無くす、或いは、減少させ、植物の一本あたりの栽培に必要な植物栽培用培地の量を減らすとともに、少なくとも前記植物の種蒔きから前記植物の栽培が終了するまでの間、前記植物栽培用培地が前記植物が必要とする水分を含有し、かつ維持し、或いは、前記植物の種蒔きから前記植物の栽培が終了するまでの間の給水量を減少することができる。
【００１７】
【発明の実施の形態】
以下、図面に基づいて本発明の実施の形態を説明する。
図１ないし図３は本発明に係る第１の実施の形態を示し、図１はパンジーの苗を栽培中の栽培容器の斜視図、図２は栽培容器と培地の斜視図、図３はパンジーの苗を栽培中の栽培容器の断面図である。
【００１８】
図１ないし図３に示すように、栽培容器１は、底壁２と周側壁３，４，５，６により栽培室７の内面を形成した例えばプラスチック製の箱体である。本実施の形態では栽培容器１を育苗ポットに適用している。
【００１９】
前記栽培容器１は、例えば正方形をなす底壁２から全体の縁となる周側壁３，４，５，６を一体に周設してなる。側壁３，４，５，６は、各々下辺より上辺が長い台形に形成されている。これにより周側壁３，４，５，６は上側に向けて拡開形状に形成されている。
【００２０】
図２及び図３に示すように、栽培室７の内側の底壁２には、排水溝８が形成されている。排水溝８は、底壁２の中央部分を栽培室７の内側に向けて湾曲せることで形成している。排水溝８の両端には開口方向が水平方向となる排水口９が形成される。
【００２１】
図１ないし図３に示すように、栽培室７には、内部全体に天然パルプを水によってゲル状にした植物栽培用培地１０（以下、培地１０と省略する）が配置され、この培地１０の上に植物としてのパンジーの種子１２を蒔く（植える）ことによってパンジーの苗１１を栽培する。栽培中のパンジーの苗１１は、種子１２から根１３及び芽１４が伸びる。
【００２２】
培地１０は、天然パルプを水とともにミキサー内で撹拌して混合し、ゲル状にしたゲル材を栽培室７に充填し、かつ表面が平らな水平面になるように配置される。培地１０は、前記パンジーの苗１１の種蒔きから前記パンジーの苗１１の栽培が終了して植え替えるまでの間、例えば１週間、前記パンジーの苗１１が必要とする水分を含有し、かつ維持する。また、天然パルプとしては、木材から生成したものを用いている。
【００２３】
さらに好ましくは、培地１０として、前記パンジーの苗１１の種蒔きから栽培終了後前記パンジーの苗１１が商品として販売され消費されるまでの間、即ち植え替えられるまでの間、水分を含有し、かつ維持できればよい。
【００２４】
このような構造により、本実施の形態では、栽培容器としての栽培容器１と培地１０が、パンジーの苗１１を栽培する植物栽培装置となっている。
【００２５】
栽培容器１は、上側面に開口する複数の凹部を設け、これら複数の凹部の内部に前記植物栽培用培地を配置するようになっている。
【００２６】
次に、植物の栽培方法を説明する。
まず、殺菌を行った栽培容器１を用意する。
これと平行して、天然パルプを水とともにミキサー内で撹拌し、ゲル状にすることでゲル材を用意する。天然パルプは非常に細かい繊維なので、ゲル状の天然パルプの中には、本実施の形態で必要な水分量を必要な期間維持できるようになっている。そして、このゲル材をパイプなどに吸引し、栽培容器１の栽培室７の内部全体に、一定量のゲル材を充填して培地１０を配置する。この操作は、全て自動で行う。
【００２７】
さらに平行して、パンジーの種子１２を洗浄する。この洗浄の処理においては、種子１２に付着している不要なタンパク質やアミノ酸あるいはゴミなどを取り除くとともに、該種子１２に付着している可能性のある雑菌並びに病原菌を取り除くようにする。
【００２８】
次に、洗浄が済んだ種子１２を水や栽培液に浸けることにより膨潤する。
上述で膨潤処理を行ったために、その後、種子１２が発根する。このように種子１２が発根してから、栽培容器１の各栽培室７に配置された培地１０の上にパンジーの種子１２を直蒔する。
【００２９】
これにより、ゲル材による培地１０の中にパンジーの苗１１の根１３が延びるとともに、パンジーの苗１１の芽１４が成長する。この状態でパンジーの苗１１に例えば放電灯を光を照射し、パンジーの苗１１に光合成を行わせ芽１４の葉に光合成を行わせる。
【００３０】
この状態を数日間つづけ、パンジーの苗１１の芽１４が適当な高さまで成長すると、パンジーの苗１１を栽培容器１に収納したまま出荷するか、または、パンジーの苗１１を別の鉢に植え替えを行う。
【００３１】
ここで、天然パルプの主成分はセルロースであり、その基本構造はグルコース重合体から成っている。一般に植物固有の非病原性細菌は、動物由来の細菌と異なり、澱粉やセルロースを分解する酵素を生成する。培地１０では、この酵素によってセルロースをグルコースまで分解する。このグルコースは、パンジーの苗１１の養分となるので、培地１０に別の養分を含んだ養液を加える必要がないか、または該養液を減らすことができ、パンジーの苗１１を効率よく育成でき、栽培にかかるコストを従来に比べて低減できる。
【００３２】
このような第１の実施の形態では、天然パルプと水によるゲル材の培地１０は、培養土に比べて、比重が小さく、不純物や不要物を含んでいない。これにより、第１の実施の形態では、パンジーの苗１１の育成不良を少なくし、パンジーの苗１１の一本あたりの栽培に必要な培地１０の量を減らすことができるので、１つの栽培容器１で栽培できるパンジーの苗１１の数を増やすとともに、植物栽培装置を軽量化し、植物栽培装置を移動させる場合の作業性を向上できる。さらに、培地１０が、前記パンジーの苗１１の栽培開始から前記パンジーの苗１１の栽培が終了するまでの間、又は、さらに前記栽培終了後消費されるまでの間に前記パンジーの苗１１が必要とする水分を含有し、かつ維持し、或いは、前記パンジーの苗１１の栽培開始から前記パンジーの苗１１の栽培が終了するまでの間の給水量を減少することができるので、幼少期（初期生育期）に水の供給を簡素化して管理でき、作業を軽減できとともに、均質な製品の植物を栽培でき、栽培にかかるコストを従来に比べて低減できる。
【００３３】
また、本実施の形態では、培地１０に天然パルプと水をゲル状にして配置したものを用いたことで、少なくとも前記パンジーの苗１１の栽培開始から前記パンジーの苗１１の栽培が終了するまでの間、又は、さらに前記栽培終了後消費されるまでの間に前記パンジーの苗１１が必要とする水分を含有し、かつ維持でき、栽培期間中、または栽培終了後消費されるまでの間に、水または養液による給水を行わないで、生育させ品質を保持することができる。
【００３４】
さらに、本実施の形態では、出荷後も、培地１０は、適量の水分を含有し、かつ維持できるため、品質の保持期間を延長できる。
【００３５】
さらに、本実施の形態では、培地１０に用いた天然パルプは水によりグルコースに分解してパンジーの苗１１の養分となるので、別の養液を加える必要がなく、栽培にかかるコストを従来に比べて低減できるという効果もある。尚、培地１０に養分を添加する場合にも、セルロースから分解するグルコースがあるので、添加する養分は少なくてすむ。
【００３６】
さらに、本実施の形態では、培地１０はパンジーの苗１１が消費された後に廃棄物となるが、培地１０に用いた天然パルプは容易に自然分解するとともに燃焼により水と二酸化炭素に分解することができるので、環境に優しいという効果が得られる。
【００３７】
さらに、本実施の形態では、栽培室７の底壁２に排水溝８を形成したことにより、培地１０の余分な水分を排水できる。
【００３８】
ここで、図１乃至図３に示した実施の形態では、培地１０は、前記植物の種蒔きから前記植物の栽培が終了するまでの間、又は、さらに前記栽培終了後消費されるまでの間に前記植物が必要とする水分を含有し、かつ維持するように構成したが、変形例として、培地１０は、前記植物の種蒔きから前記植物の栽培が終了するまでの間の給水量を減少するように構成してもよい。このような構成は、培地１０における天然パルプの繊維の大きさや水分量を調整することで実現できる。
【００３９】
このような変形例では、前記植物の栽培開始から前記植物の栽培が終了するまでの間に給水を行うことになるが、この場合に給水量は従来に比べて少なくてよいので、栽培にかかるコストを従来に比べて低減できる。
【００４０】
図４は本発明に係る第２の実施の形態を示す梅の木を栽培中の栽培容器の断面図である。
【００４１】
図４に示すように、栽培容器２１は、底壁２２と４面の周側壁２３により栽培室２７の内面を形成した例えばセラミック製の箱体である。本実施の形態では栽培容器２１を植木鉢に適用している。
【００４２】
周側壁２３は上側に向けて拡開形状に形成されている。
栽培室２７の内側の底壁２２には、排水溝２８が形成されている。排水溝２８は、底壁２２の中央部分を栽培室２７の内側に向けて湾曲せることで形成している。排水溝２８の両端には開口方向が水平方向となる排水口２９が形成される。
【００４３】
栽培室２７には、内部全体に天然パルプを樹脂あるいは糊で固めることで複数の固形物３１として形成された植物栽培用培地３０（以下、培地３０と省略する）が配置され、この培地３０の上に植物としての梅の木４１を植えることによって梅の木４１を栽培する。栽培中の梅の木４１は、幹４２から根４３及び枝４４が伸びる。枝４４には葉４５が付いている。
【００４４】
固形物３１は、天然パルプを樹脂あるいは糊でブロック状に固め、このブロックを粉砕することで破片状に形成されている。栽培容器２１内の複数の固形物３１は、養液を給水することで、例えば１週間、前記梅の木４１が必要とする水分を含有し、かつ維持する。また、天然パルプとしては、木材から生成したものを用いている。
【００４５】
このような第２の実施の形態において、梅の木４１を栽培する場合には、栽培容器２１内の複数の固形物３１の中に梅の木４１を植え込み、複数の固形物３１に養液を給水する。固形物３１は、保水性が高いため、例えば１週間、前記梅の木４１が必要とする水分を含有し、かつ維持できる。
【００４６】
第２の実施の形態によれば、栽培容器２１として比較的大型の植木鉢を用いた場合にも、植物栽培用培地を軽量化し、植物栽培用培地から不純物や不要物を無くす、或いは、減少させ、植物の一本あたりの栽培に必要な植物栽培用培地の量を減らすとともに、前記植物の栽培開始から前記植物の栽培が終了するまでの間の給水量を減少することができ、栽培にかかるコストを従来に比べて低減できる。
【００４７】
さらに、本実施の形態では、培地３０に用いた天然パルプは水によりグルコースに分解してパンジーの苗１１の養分となるので、別の養液を加える必要がなく、栽培にかかるコストを従来に比べて低減できるという効果もある。尚、培地３０に養分を添加する場合にも、セルロースから分解するグルコースがあるので、添加する養分は少なくてすむ。
【００４８】
さらに、本実施の形態では、培地３０はパンジーの苗１１が消費された後に廃棄物となるが、培地３０に用いた天然パルプは容易に自然分解するとともに燃焼により水と二酸化炭素に分解することができるので、環境に優しいという効果が得られる。
【００４９】
さらに、本実施の形態では、栽培室２７の底壁２２に排水溝２８を形成したことにより、培地３０の余分な水分を排水できる。
【００５０】
尚、図１乃至図３に示した第１の実施の形態及びその変形例における培地１０としては、パルプを水によってゲル状にしたものとして、天然パルプを水によってゲル状にしたものを用いたが、培地としては、合成パルプを水によってゲル状にしたもの、再生紙を水によってゲル状にしたものも適用可能である。
【００５１】
また、第１の実施の形態及びその変形例における培地１０としては、合成繊維を植物を育成するための養分を含んだ養液によってゲル状にしたもの、天然パルプを養液によってゲル状にしたもの、再生紙を養液によってゲル状にしたものも適用可能である。さらに、培地としては、養液に、天然パルプ、合成パルプ、再生紙の少なくとも一つを混ぜることにより生成することも可能である。このようなパルプに混ぜる養液としては、窒素化合物、リン酸等の他の養分を水に混ぜたものが適用可能である。
【００５２】
さらに、図１乃至図３に示した本実施の形態及び変形例では、培地１０に種子を直蒔きしたが、培地１０に種子を埋め込んだり、培地１０を栽培室７の途中まで充填し、この状態の培地１０の上に種子を蒔き、その上から残り培地１０を充填してもよい。
【００５３】
さらに、培地１０の合成繊維によるゲル材の生成として、養液ではなく水を用い、後に必要とする肥料を加え、または散布してもよい。
【００５４】
さらに、図４に示した第２の実施の形態における培地３０としては、パルプを樹脂あるいは糊で固めることで複数の固形物として形成し、この複数の固形物に水を含ませたものとして、天然パルプを樹脂あるいは糊で固めたものを用いたが、培地としては、合成パルプを樹脂あるいは糊で固めたものや、再生紙を樹脂あるいは糊で固めたものも適用可能である。
【００５５】
また、図４に示した第２の実施の形態における繊維としてのパルプを固形物として固める方法としては、樹脂あるいは糊を用いた方法以外に、加熱あるいは化学処理によって繊維自体を結合する方法も適用できる。
【００５６】
さらに、図４に示した第２の実施の形態における培地３０としては、合成繊維を固形物として固め、植物を育成するための養分を含んだ養液を保持するもの、天然パルプを固形物として固め、養液を保持するもの、再生紙を固形物として固め養液を保持するものにも適用可能である。
【００５７】
さらに、図４に示した第２の実施の形態における培地３０としては、天然パルプ、合成パルプ、再生紙の少なくとも一つを混ぜ固形物として固めることにより生成することも可能である。このようなパルプに保持せる養液としては、窒素化合物、リン酸等の他の養分を水に混ぜたものが適用可能である。
【００５８】
さらに、図４に示した第２の実施の形態における培地３０としては、固形物３１を小さく形成することで、図１に示した前記パンジーの苗１１に適用可能である。パンジーの苗１１に適用する場合、培地３０の固形物３１は、前記パンジーの苗１１の栽培開始から前記パンジーの苗１１の栽培が終了するまでの間、又は、さらに前記栽培終了後消費されるまでの間に前記パンジーの苗１１が必要とする水分を含有し、かつ維持し、或いは、前記パンジーの苗１１の栽培開始から前記パンジーの苗１１の栽培が終了するまでの間の給水量を減少するようにしている。固形物３１の形についても、図４に示した形状以外に、球形、正方形等各種適用可能である。
【００５９】
さらに、本発明でパルプを培地として使用する方法としては、軽量化、作業性の軽減及び保水性の向上のため、次のような使用法も適用可能である。
【００６０】
第１の使用法としては、パルプをゲル化せず、粉砕したパルプそのもの培地として使用する方法がある。
【００６１】
第２の使用方法として、パルプに、培養土、鹿沼土や砂利などと混ぜて培地として使用する方法がある。さらに、この第２の使用方法としては、パルプに培養土、鹿沼土、砂利などを重畳して使用する方法や、パルプに培養土、鹿沼土、砂利などを混合して使用する方法がある。
【００６２】
さらに、図１乃至図４に示した本実施の形態及び変形例では、栽培容器１，２１の各栽培室７，２７の内部全体に培地を配置したが、培地は、栽培室の内部全体に限らず、栽培室の底から８割程度の高さまで充填する等、培地の栽培室に充填する量は各種適用可能である。
【００６３】
さらに、図１乃至図４に示した実施の形態及びその変形例における栽培容器１，２１の排水溝８，２８は、栽培する植物の種類に応じて形成しなくてもよい。
【００６４】
さらに、本発明で適用できる植物としては、草花のとしてパンジーの苗や水稲の苗以外に、各種農作物あるいは草花の苗又は植林用の苗、苺、葉物野菜、花卉類、芋類などの植物全般に適用できる。また、本発明の培地に植える時点の植物としては、種の状態に限らず、苺の株等、植物の各種状態に適用できる。
【００６５】
【発明の効果】
以上述べた様に本発明によれば、植物栽培用培地を軽量化し、植物栽培用培地から不純物や不要物を無くす、或いは、減少させ、植物の一本あたりの栽培に必要な植物栽培用培地の量を減らすことで１つの栽培容器で栽培できる植物の数を増やすとともに、前記植物の栽培開始から前記植物の栽培が終了するまでの間、又は、さらに前記栽培終了後消費されるまでの間に前記植物が必要とする水分を含有し、かつ維持し、或いは、前記植物の栽培開始から前記植物の栽培が終了するまでの間の給水量を減少することができるので、幼少期（初期生育期）に水及び養液の供給を簡素化して管理でき、作業を軽減できとともに、植物の育成不良が起こりにくく、均質な製品の植物を栽培でき、植物の栽培にかかるコストを従来に比べて低減できる。
【図面の簡単な説明】
【図１】本発明の第１の実施の形態に係るパンジーの苗を栽培中の栽培箱の斜視図。
【図２】本発明の第１の実施の形態に係る栽培容器と培地の斜視図。
【図３】本発明の第１の実施の形態に係るパンジーの苗を栽培中の栽培容器の断面図。
【図４】本発明の第２の実施の形態に係る梅の木を栽培中の栽培箱の斜視図。
【符号の説明】
１          …栽培容器
２          …底壁
３，４，５，６          …周側壁
７          …栽培室
１０          …培地
１１          …パンジーの苗
【図１】
2004350655.tif 000003
【図２】
2004350655.tif 000004
【図３】
2004350655.tif 000005
【図４】
2004350655.tif 000006